(57)【特許請求の範囲】
【請求項１】
回転支持体（７）、この回転支持体を駆動するために設けられたモータ（９）、このモータに給電するために設けられたアキュムレータ（１５）、このアキュムレータを充電するために設けられた太陽電池（１３）、内部クロック、前記モータを制御する電子手段（１９）及びこの電子手段のためのユーザ制御インターフェイスを含む自動巻腕時計のための太陽電池式ワインダ（１）であって、
前記太陽電池式ワインダは、前記電子手段（１９）に接続された光センサ（２１）を含み、
前記電子手段は、前記内部クロックに接続され、ユーザによって制御されて複数の動作モードのうちの１つ又はその他に選択的に配置されるように設けられ、前記複数の動作モードは、前記太陽電池式ワインダが照明されている時にのみ前記回転支持体（７）が駆動する第１のモード、及び前記制御インターフェイスを用いて事前に選択された時点において前記回転支持体（７）の駆動を開始するプログラムが開始される第２のモードを含むこと
を特徴とする、太陽電池式ワインダ（１）。
【請求項２】
前記電子手段（１９）のための前記ユーザ制御インターフェイス（２３）は、マトリクスＬＣＤディスプレイ（２９）及び複数の触覚キー（３１ａ、３１ｂ、３１ｃ、３１ｄ）を含み、前記ＬＣＤディスプレイ及び前記触覚キーは全て透明スクリーンに一体化され、
前記太陽電池（１３）は、前記太陽電池式ワインダの内部に設けたハウジング内に配設され、前記ハウジングは前記透明スクリーンで閉塞されていること
を特徴とする、請求項１に記載の太陽電池式ワインダ。
【請求項３】
前記ユーザが前記電子手段（１９）を操作して前記手段を前記第２の動作モードとする際に、前記ユーザは前記回転支持体（７）の前記駆動プログラムを開始する時点を定義できるよう設けられ、
前記制御インターフェイス（２３）は、前記回転支持体（７）の前記駆動プログラム中に前記回転支持体が行う回転数を表す情報を入力できるよう設けられていること
を特徴とする、請求項１又は２に記載の太陽電池式ワインダ。
【請求項４】
前記電子手段（１９）は不揮発性メモリを含み、前記不揮発性メモリには、様々な腕時計モデルの識別コードを含み、かつ前記識別コードのそれぞれを、実行される前記回転数又は前記回転支持体（７）の前記駆動プログラムの時間と適合させる、参照表が記録されており、
前記プログラム中に前記回転支持体が行う前記回転数を表す前記情報は、前記自動巻腕時計のモデルに固有の識別コードで形成されていること
を特徴とする、請求項３に記載の太陽電池式ワインダ。
【請求項５】
前記制御インターフェイス（２３）はバーコード又はＲＦＩＤ読み取りデバイスを含み、
装着される前記腕時計は、装着される前記腕時計の前記モデルの識別コードを含むバーコード又はＲＦＩＤタグと共に保管され、前記バーコード又は前記ＲＦＩＤ読み取りデバイスは、前記腕時計と共に保管された前記バーコード又は前記ＲＦＩＤタグを読み取るよう設けられていること
を特徴とする、請求項４に記載の太陽電池式ワインダ。
【請求項６】
前記回転支持体（７）の少なくとも１つの角度位置を検知する手段（２５、２７）を備えていることを特徴とする、請求項１〜５のいずれか１項に記載の太陽電池式ワインダ。
【発明の詳細な説明】
【技術分野】
【０００１】
本発明は、自動巻腕時計のための電気ワインダに関し、このワインダは電気モータ、モータに給電するために配設されたアキュムレータ、アキュムレータを充電するために設けられた太陽電池、内部クロック、モータを制御するための電子手段及び電子手段のユーザ制御インターフェイスを含む。より具体的には、本発明は自動巻腕時計のためのディスプレイスタンドとしても機能するよう適合された、このタイプのワインダに関する。
【背景技術】
【０００２】
電気式腕時計ワインダは既に公知である。これらのワインダは、腕時計を一定期間装着しない場合に、自動巻腕時計が停止してしまうことを防ぐために使用できるデバイスである。自動巻腕時計は、腕時計を装着している者の腕の運動を駆動力として用いてゼンマイを自動的に巻き上げる機構を備えている。自動巻腕時計を装着している場合、この目的のために設けた回転錘が上記運動によって腕時計内部で回転又は振動する。回転錘は、回転錘を動かすエネルギを、ゼンマイを巻く歯車列に伝達するよう設けられている。従って、静止状態にある自動巻腕時計は巻き上げられないことは明らかであろう。
【０００３】
腕時計が特に長期間静止状態のままとなり得る場所として、店舗のショーウィンドウがある。実際、腕時計店のウィンドウディスプレイでは、多数の腕時計が静止状態であることは珍しくない。従って、このような環境で電気式巻き上げ機構を使用できると有利である。特許文献１は、小売業者のショーウィンドウにおいて腕時計ディスプレイスタンドとしても使用されるよう適合された電気式ワインダを開示している。特許文献１が開示している電気式ワインダは、腕時計を保持するよう設けられた支持要素を有する２つの直立部材が設けられた基部から形成されている。この支持要素は、直立部材の間に枢動可能に設置され、基部に設置した電気モータによって駆動ベルトを介して支持要素を回転させることができる。特許文献１によると、支持要素の回転は、自動巻腕時計の動的なディスプレイを観察者に提供し、同時に腕時計を巻き上げる。最後に、特許文献１の電気式ワインダの操作に必要なエネルギは、商用電源を介して又は基部の表面に配設した太陽電池から送ってもよい。
【０００４】
上述のワインダは、ある欠点を有する。特に、特許文献１は、支持要素の運動を恒常的なものとすることを説明している。これに関して、電気式ワインダは、ゼンマイの最大張力を超えて腕時計を巻き上げることはないことが知られている。実際、自動巻腕時計のゼンマイは通常摩擦ゼンマイを備えている。この摩擦ゼンマイは、通常はゼンマイを巻くことができるが、ゼンマイの張力が一定の限界に達するとすぐにドラムの壁に対して摺動できるよう設けられている。いずれにせよ、特許文献１に記載されているようにゼンマイを恒常的に巻くのは賢明ではない。実際、このようなタイプの巻き上げは、自動巻ワインダの摩耗を加速するという欠点を有する。また、高級腕時計の愛好家は、静止状態でディスプレイされた時計を精査することを好む場合がある。
【先行技術文献】
【特許文献】
【０００５】
【特許文献１】欧州特許第２４８１３２２号
【発明の概要】
【発明が解決しようとする課題】
【０００６】
本発明の目的は、太陽電池で給電される自動巻腕時計のための、巻き上げ機能と店舗営業時間中の静止状態のディスプレイとを同時に実行することができる太陽電池式ワインダを提供することにより、先行技術の上述の欠点を克服することである。本発明はこの目的を、請求項１による自動巻腕時計機構のための電気式ワインダを提供することにより達成した。
【０００７】
本発明の他の特徴及び利点は、添付した図面を参照して、単なる非限定的な例として挙げる以下の詳細な説明を読むことにより明らかになるであろう。
【図面の簡単な説明】
【０００８】
【図１】図１は、本発明の特定の実施形態による太陽電池式腕時計ワインダの概略断面図である。
【図２】図２は、図１の電気式ワインダの制御インターフェイスを示す、部分上面図である。
【発明を実施するための形態】
【０００９】
図１は、本発明による太陽電池式腕時計ワインダ（一般に参照番号１で示す）の概略断面図である。図示したように、ワインダ１は、取り外し可能な回転支持体７で終端する傾斜したアーム５を支持する基部３を含む。アーム５の内部には、電気モータ及び減速歯車（図示せず）を含むモータモジュール９が収容されている。回転支持体７はシリコンチューブ１１を介してモータモジュール９と連結されており、シリコンチューブ１１はその両端に、モータモジュールのアーバ及び回転支持体のアーバが摩擦嵌合する開口を備えている。
【００１０】
アーム５は基部３に固定されている。ワインダ１の特定の数の要素が、基部の厚さ内に設けた２つのキャビティに収納されている。第１のキャビティ（参照番号なし）は、光電池１３及びアキュムレータ１５のハウジングとして用いられる。第２のキャビティ（参照番号なし）には、昇圧回路１７、クロックマイクロコントローラ１９及び本実施例ではフォトダイオードで形成された光センサ２１が設けられている。
【００１１】
上述の様々な要素の総体としての動作は、マイクロコントローラ１９によって左右される。本実施例ではまず、光電池１３はＳｕｎｐｏｗｅｒ（Ｃ）高効率太陽電池である。この電池が供給する電圧は約０．４Ｖであり、光度及び送達する電流の両方に依存する。昇圧回路１７は太陽電池の出力側に接続されている。昇圧回路１７の機能は、太陽電池が送る極めて低い電圧の電力を、アキュムレータ１５、マイクロコントローラ１９及びモータモジュール９に同時に適合できるように、３Ｖより少し高い電圧に変換することである。
【００１２】
マイクロコントローラ１９は、図２に詳細に示す制御インターフェイス２３にも接続されている。図示した実施例では、制御インターフェイス２３は、マトリクスＬＣＤディスプレイ２９及び４つの触覚キー３１ａ、３１ｂ、３１ｃ、３１ｄを備えている。ＬＣＤディスプレイ及び触覚キーは、全て基部３の第１のキャビティを閉塞する透明スクリーンに一体化されている。非作動時は、制御インターフェイス２３は完全に透明である。従って、環境光は妨げられることなく太陽電池１３に届く。本実施例の実施形態によると、マイクロコントローラ１９は同数の動作モードに関連する複数のプログラムのうちの１つ又はその他を選択的に実行するように設けられている。触覚キー３１ａ、３１ｂ、３１ｃ、３１ｄにより、ユーザは所望の動作モードを選択できる。
【００１３】
選択可能な動作モードのうち第１のものは、ワインダが照明されている時のみ回転支持体が駆動されるような動作モードである。マイクロコントローラ１９は、フォトダイオード２１に接続されており、ワインダが照明されているかどうかを決定するために、マイクロコントローラはフォトダイオードの挙動を一定間隔でチェックして、環境光の強度が所定の閾値を超えるかどうかを確立する。一例として、この第１の動作モードは、以下のステップを含んでいてもよい：照明が十分であることをマイクロコントローラが決定するとすぐに、マイクロコントローラは、光度が所定の閾値未満に下がらない限り、モータモジュール９を１分に２回転の速さで回転させるステップ。光度が弱まらない場合、１２時間後にモータモジュールは回転支持体７を１４４０回転させることになる。この瞬間、マイクロコントローラはワインダを中断させて、その後１２時間はスリープモードに変化させる。このスリープモードの１２時間が終わると、マイクロコントローラは再びスタンバイモードとなり、照明が十分となるとすぐにプログラムを再び開始させるための準備ができた状態となる。
【００１４】
本発明の目的は、店舗営業時間中に巻き上げ及び静止ディスプレイ機能を同時に実施できる太陽電池式ワインダを提供することであることに留意されたい。この目的のために、選択可能な第２の動作モードは、制御インターフェイス２３を用いて事前に選択された時点において回転支持体７の駆動を開始するプログラムが開始されるモードである。従って、この第２の動作モードを選択すると、ユーザは制御インターフェイス２３を用いた巻き上げプログラムの特定のパラメータの値を変更できる。これらのパラメータには、特に回転支持体７の駆動プログラムを開始しなければならない時点が含まれる。本実施例では、ユーザはまず触覚キー３１ａ、３１ｂ（図２）を用いて、調整すべきパラメータを選択する。続いてユーザは触覚キー３１ｃ、３１ｄを用いて、このパラメータの値を変更する。
【００１５】
特に、回転支持体駆動プログラムの開始時点を選択して、このプログラムが完全に店舗営業時間外に実行されるようにすることによって、ワインダを営業時間全体にわたって静止ディスプレイとして使用できることは明らかであろう。アキュムレータ１５の存在により、光電池１３の照明が存在しない夜間でさえ、完全巻き上げプログラムを実行できることは特筆すべきことである。
【００１６】
好ましくは、上述の第２の動作モードにより、駆動プログラムの開始時点を選択するためだけではなく、上記プログラムの特定のパラメータの値を定義するためにも、制御インターフェイスを使用できる。場合に応じて定義できると特に有利である１つのパラメータは、巻き上げプログラムの期間であることは明らかである。代替として、巻き上げ期間を定義する代わりに、巻き上げプログラム中に回転支持体７が行う回転の回数を定義することも同様に可能である。
【００１７】
巻き上げプログラム中に行われる回転の期間又は回数は、巻き上げられる自動巻腕時計のモデルに応じて変わる。よって、本発明の好ましい実施形態によると、ユーザが制御インターフェイス２３に、腕時計モデルの情報を入力できる。このようにして、回転支持体７に固定する腕時計のモデルを電子手段１９に指示するだけで、電子手段は回転支持体が実行する回転の期間又は回数を決定できる。ある可能な変形例によると、腕時計モデルを、対応するコードを制御インターフェイス２３に入力することによって指示してもよい。このような変形例によると、太陽電池式ワインダは、マイクロコントローラ１９と関連する不揮発性メモリを含む。このメモリは、各腕時計モデルを識別コード及び回転数又は巻き上げ期間と適合させる参照表を含む。したがってユーザは、制御インターフェイス２３に腕時計モデルの識別コードを入力するだけで、回転数又は巻き上げ期間をプログラムできる。当業者には、他の変形例により、腕時計モデルの支持の手動入力を、半自動入力に置き換えることができることも明らかであろう。実際、制御インターフェイス２３は、例えばバーコード又はＲＦＩＤ読み取りデバイスを含んでいてもよい。このような条件下では、腕時計又はそのパッケージがＲＦＩＤタグ又はバーコード識別を含む場合、ユーザはこの識別を読み取りデバイス付近に配置するだけで、腕時計モデルの情報を電子手段１９に入力できる。
【００１８】
制御インターフェイス２３を用いてワインダのユーザが選択できる他の巻き上げパラメータは、巻き上げ方向である。このパラメータは例えば、３つの値：「時計回り回転」「反時計回り回転」「交互巻き上げ」（このオプションは例えば、ある方向に１０分の巻き上げ、及びそれに続いて反対方向に１０分の巻き上げ等といったシーケンスの形態で実施できる）のうちの１つを有してよい。
【００１９】
本発明の更に他の有利な変形例によると、ワインダはプログラムの最後に、明確に定義された角度位置において回転支持体７の回転を停止させるという特徴を有していてもよい。特にこの特徴によって、ワインダは、巻き上げプログラムの終了時に腕時計の姿勢を常に垂直位置とすることができる。明確に定義された角度位置において回転を停止させるために、この変形例による太陽電池式腕時計ワインダは、回転支持体７の少なくとも１つの角度位置を検知する手段を含む。この検知手段は例えば、シリコンチューブ１１の壁に設置された永久磁石２５と、マイクロコントローラ１９に接続され、永久磁石２５の円形軌道に面するアーム５の内部に配設されるリード接触器２７とを含んでいてもよい。永久磁石の吸引力及び接触器の感度は、永久磁石２５が接触器２７の前を通過する際に接触器２７が一時的に閉じ、それ以外の時間は開くように選択する。回転支持体の少なくとも１つの角度位置を検知する手段を、磁性を有さないものとすることも可能であることは明らかである。実際、この検知手段は例えばフォトダイオード及び光源を同様に含んでいてもよい。
【００２０】
添付した請求項に定義する本発明の範囲から逸脱することなく、ここに記載した実施形態に対して、当業者には明らかな様々な改変及び／又は改善を行うことができることは明らかである。特に、本発明による電子手段に接続された光検知器を、マイクロコントローラ１９に接続した光電池１３で構成できる。この場合、ワインダが照明されているかいないかを決定するために、光電池の端子間における、特定の閾値を超える電圧の存在又は不在を利用することになる。
【００２１】
更に太陽電池式ワインダに、回転支持体７上の腕時計の存在を検知するための手段を取り付けてもよい。この検知手段は電子手段に接続され、腕時計が回転支持体７上に配置されていない時には太陽電池式ワインダをスリープモードに維持する。したがって、回転支持体７は、腕時計が回転支持体７上に配置されている時にだけ駆動されることになる。このような特徴により、モータを不要に回転させることによるエネルギの浪費が防止される。回転支持体７上の腕時計の存在を検知する手段は例えば、光センサ又は圧力センサでもよい。
【符号の説明】
【００２２】
１      太陽電池式ワインダ
３      基部
５      アーム
７      回転支持体
９      モータ
１１    シリコンチューブ
１３    光電池、太陽電池
１５    アキュムレータ
１７    昇圧回路
１９    電子手段、クロックマイクロコントローラ
２１    光センサ、フォトダイオード
２３    制御インターフェイス
２５    永久磁石、検知手段
２７    リード接触器、検知手段
２９    マトリクスＬＣＤディスプレイ
３１    触覚キー
３１ａ  触覚キー
３１ｂ  触覚キー
３１ｃ  触覚キー
３１ｄ  触覚キー
【図１】
0005639705.tif 000002
【図２】
0005639705.tif 000003